(57)【特許請求の範囲】
【請求項１】
ケース本体（６１）とケース蓋体（６２）とで開閉可能に構成され且つ内部に基板（３１）を格納可能な基板ケース（３２）と、前記ケース本体（６１）と前記ケース蓋体（６２）とを閉鎖状態で封止可能な封止手段（６４）と、遊技機本体（１）に設けられ且つ前記基板ケース（３２）を装着可能な基板ケース装着部（６０）とを備え、前記基板ケース（３２）は、前記封止手段（６４）による封止後は所定の封止損壊部（８７）を損壊しなければ開封できないように構成された遊技機において、前記基板ケース装着部（６０）に設けられ且つ前記基板ケース（３２）の外側から前記封止損壊部（８７）を覆う封止カバー（１１２）と、該封止カバー（１１２）を前記基板ケース（３２）に固定する固定手段（１２２）とを備え、前記封止手段（６４）は、前記ケース蓋体（６２）側に保持された封止ピン（８５）が前記基板ケース（３２）の内部側に押し込まれて前記ケース本体（６１）側の離脱防止部（８３）に離脱不能に係合することにより前記基板ケース（３２）を封止するように構成され、前記固定手段（１２２）は前記封止手段（６４）に対応して設けられ且つ前記封止カバー（１１２）を前記基板ケース（３２）に固定する際に前記封止ピン（８５）を押圧して前記離脱防止部（８３）に係合させるように構成されていることを特徴とする遊技機。
【請求項２】
前記固定手段（１２２）は、前記封止ピン（８５）の外側に対応して前記ケース蓋体（６２）側に設けられたねじ止め基部（１０４）と、前記封止カバー（１１２）の外側から前記ねじ止め基部（１０４）に螺合可能な固定ねじ（１２６）とを備え、前記固定ねじ（１２６）が前記ねじ止め基部（１０４）に螺合される際に前記固定ねじ（１２６）の先端側が前記封止ピン（８５）を押圧して前記離脱防止部（８３）に係合させるように構成されていることを特徴とする請求項１に記載の遊技機。
【請求項３】
前記封止カバー（１１２）は、前記封止損壊部（８７）を覆う閉状態と前記封止損壊部（８７）を開放する開状態とに切り換え可能に構成され、前記固定手段（１２２）は、前記封止カバー（１１２）に設けられ且つ該封止カバー（１１２）が前記閉状態のときに前記封止ピン（８５）を前記離脱防止部（８３）に係合するまで押圧する押圧ピン（１４１）と、前記封止カバー（１１２）を前記閉状態で固定すると共に所定の閉止損壊部（１４２）を損壊することによりその固定状態を解除可能な閉止手段（１４３）とを備えたことを特徴とする請求項１に記載の遊技機。
【発明の詳細な説明】
【技術分野】
【０００１】
本発明は、パチンコ機、スロットマシン等の遊技機に係り、詳しくは、ケース本体とケース蓋体とで開閉可能に構成され且つ内部に基板を格納可能な基板ケースと、ケース本体とケース蓋体とを閉鎖状態で封止可能な封止手段と、遊技機本体に設けられ且つ基板ケースを装着可能な基板ケース装着部とを備え、その基板ケースは、封止手段による封止後は封止手段の損壊部を損壊しなければ開封できないように構成された遊技機に関するものである。
【背景技術】
【０００２】
パチンコ機等の遊技機では、各種制御基板等が基板ケースに格納された状態で本体裏側等に装着されている。一般的な基板ケースは、ケース本体とケース蓋体とを開閉可能に組み合わせることにより略箱形となるように構成されており、遊技機本体に対しては着脱容易な状態で装着されている。
【０００３】
また、遊技機の基板ケースには、制御基板に対する不正防止のための封止手段を備えたものがある。この封止手段は、ケース本体とケース蓋体とを閉鎖状態で現状復帰不能に封止するもので、一旦制御基板を格納したまま封止してしまうと、所定の損壊部を損壊して開封の痕跡を残さない限り、基板ケースを開いて内部の制御基板を取り出すことができないようになっている（例えば特許文献１）。
【０００４】
ところで、この種の遊技機の制御基板に対するゴト行為として、基板ケースの損壊部を損壊して基板ケースを開放し、内部のＲＯＭを不正ＲＯＭに交換する、或いは制御基板を基板ケースごと交換するといった行為が問題となっている。
【特許文献１】特開２００３−３８８０５号公報
【発明の開示】
【発明が解決しようとする課題】
【０００５】
上記のようなゴト行為は、遊技ホール内で他人の目を盗んで短時間で行う必要がある。その点、特許文献１に記載のような従来の遊技機では、基板ケースを遊技機本体に装着したままで損壊部を損壊して基板ケースを短時間で開放することが可能であり、また基板ケース自体の取り外しは更に短時間で行うことが可能であるため、上記のようなゴト行為を行うには好都合であったと考えられる。
【０００６】
以上のことから、上記のようなゴト行為を防止する方策としては、基板ケースの取り外し、及び基板ケースの開封に従来よりも時間と手間がかかるようにすることが有効であると考えられる。
【０００７】
本発明は、上記事情に鑑みてなされたものであり、その目的とするところは、基板ケースの取り外し及び開封に従来よりも時間と手間がかかるようにすることにより、基板ケース交換及び基板ケース開封によるゴト行為を効果的に防止できる遊技機を提供することにある。
【課題を解決するための手段】
【０００８】
本発明は、ケース本体６１とケース蓋体６２とで開閉可能に構成され且つ内部に基板３１を格納可能な基板ケース３２と、前記ケース本体６１と前記ケース蓋体６２とを閉鎖状態で封止可能な封止手段６４と、遊技機本体１に設けられ且つ前記基板ケース３２を装着可能な基板ケース装着部６０とを備え、前記基板ケース３２は、前記封止手段６４による封止後は所定の封止損壊部８７を損壊しなければ開封できないように構成された遊技機において、前記基板ケース装着部６０に設けられ且つ前記基板ケース３２の外側から前記封止損壊部８７を覆う封止カバー１１２と、該封止カバー１１２を前記基板ケース３２に固定する固定手段１２２とを備え、前記封止手段６４は、前記ケース蓋体６２側に保持された封止ピン８５が前記基板ケース３２の内部側に押し込まれて前記ケース本体６１側の離脱防止部８３に離脱不能に係合することにより前記基板ケース３２を封止するように構成され、前記固定手段１２２は前記封止手段６４に対応して設けられ且つ前記封止カバー１１２を前記基板ケース３２に固定する際に前記封止ピン８５を押圧して前記離脱防止部８３に係合させるように構成されているものである。
【発明の効果】
【０００９】
本発明によれば、封止状態の基板ケース３２を開封する際には固定手段１２２による固定を外して封止カバー１１２を開き、更に封止損壊部８７を損壊するという手順を踏む必要があり、また基板ケース３２を取り外す場合も固定手段１２２による固定を外して封止カバー１１２を開く必要がある。これにより、基板ケース３２を開放して内部のＲＯＭを不正ＲＯＭに交換するゴト行為はもちろん、基板３１を基板ケース３２ごと交換するゴト行為についてもその作業を遊技ホール内で他人の目を盗んで短時間で行うことは困難であり、基板ケース交換及び基板ケース開封によるゴト行為を効果的に防止できる。また、封止カバー１１２は、封止損壊部８７及びその周辺部分をカバーすればよいため、基板ケース内部の視認性を大きく低下させることはない。
【発明を実施するための最良の形態】
【００１０】
以下、本発明の実施形態を図面に基づいて詳述する。図１〜図１２は本発明をパチンコ機として具現化した第１の実施形態を例示している。なお、以下の説明における上下左右の方向については、特に基準を示さない限り遊技機本体を前側から見た場合の上下左右をいうものとする。
【００１１】
図１において、遊技機本体１は、矩形枠状の外枠２と、この外枠２の前側に配置された前枠３とを備えている。前枠３は左端側の上下一対のヒンジ４を介して外枠２に着脱及び開閉自在に装着されている。
【００１２】
前枠３の上部側には遊技盤５が着脱自在に装着されると共に、遊技盤５の前側にガラス扉６が、ガラス扉６の下側に前面板７が夫々配置されている。ガラス扉６、前面板７はヒンジ４と同一側のヒンジ（図示省略）により前枠３に開閉自在に枢支されている。前面板７には発射用の遊技球を貯留する上皿８が装着されている。また前枠３の下部には、余剰球を貯留する下皿９と、発射手段１０の発射ハンドル１１とが夫々設けられている。
【００１３】
遊技盤５の前側には、発射手段１０によって発射された遊技球を案内するガイドレール１２が環状に装着されると共に、そのガイドレール１２内の遊技領域１３には、その略中央に表示窓１４を有する表示枠１５が装着され、また表示枠１５の下側に特別図柄始動手段１６、大入賞手段１７、普通入賞手段１８等が、表示枠１５の一側方に普通図柄始動手段１９が夫々配置されている。
【００１４】
遊技盤５の裏側には、図２及び図３に示すように、表示枠１５の表示窓１４に対応して配置され且つ固定板２２により遊技盤５に固定された液晶表示パネル２０、この液晶表示パネル２０を固定板２２と共に裏側から覆う保護カバー２３、この保護カバー２３の下側に近接して遊技盤５に固定された集球ケース２４、保護カバー２３の裏側の収容凹部２６内に配置されたドライバ基板２１及び電源インターフェース基板２７、演出制御基板２８を収容し且つ収容凹部２６を裏側から塞ぐように保護カバー２３の裏側に着脱自在に固定された演出制御基板ケース２９、集球ケース２４内に配置された中継基板３０、主制御基板３１を収容し且つ集球ケース２４の裏側に着脱自在に固定された主制御基板ケース３２等が設けられている。
【００１５】
表示枠１５は、遊技盤５の前面側に当接して装着されたベース板３３と、ベース板３３の前面に固定され前側に突出する飾り部３４と、飾り部３４の下部側に形成されたステージ部３５と、ベース板３３、飾り部３４等の内周から後方に屈曲する窓枠部３６と、窓枠部３６の後端側に装着された透明な窓板３７とを備えている。
【００１６】
窓枠部３６は遊技盤５の開口３８に前側から嵌合され、その後端部側が、窓板３７を介して液晶表示パネル２０の表示画像を視認可能な表示窓１４となっている。ステージ部３５は飾り部３４の一側の球入り口３９から入った遊技球をその下側の落下口４０へと案内するためのもので、窓板３７と同様に透明に形成されている。
【００１７】
液晶表示パネル２０は偏平な横長矩形状に構成されており、演出制御基板２８の制御により、ドライバ基板２１を介して駆動され、特別図柄始動手段１６の遊技球の検出を条件に所定時間変動して大当たり図柄、外れ図柄の何れかで停止する１個又は複数個の演出図柄の変動画像、大当たり発生時の演出画像等の各種の画像を表示可能である。
【００１８】
液晶表示パネル２０は、板金製の固定板２２の前面側に装着された状態で、その前面が窓板３７の後側に近接又は当接するように、固定板２２を介して遊技盤５の裏側に固定されている。
【００１９】
保護カバー２３は、前側が開放した背面視略矩形状の箱形に形成されており、その前側を液晶表示パネル２０及び固定板２２で略塞ぐように例えば固定板２２の裏側に着脱自在に固定されている。
【００２０】
保護カバー２３には、その背壁部４１から前向きに固定基部４２が複数突設されており、この固定基部４２が固定板２２の背面側にねじ止め等により着脱自在に固定されている。
【００２１】
また、保護カバー２３には、背壁部４１の上縁部及び左右の側縁部に沿って周壁部４３が後ろ向き突出状に一体形成されており、背壁部４１の後側で且つ周壁部４３により三方を取り囲まれた領域が収容凹部２６となっている。
【００２２】
この収容凹部２６内には、液晶表示パネル２０駆動用の電源インターフェース基板２７とドライバ基板２１とが左右に隣接して配置され、背壁部４１に着脱自在に固定されている。なお、ドライバ基板２１は、収容凹部２６内に収容され且つ背壁部４１に対して着脱自在に固定される基板カバー４４により後側から覆われている。
【００２３】
中継基板３０は、遊技盤５側の特別図柄始動手段１６、大入賞手段１７等の検出スイッチ、ソレノイドその他の電気部品と、演出制御基板２８、主制御基板３１等との接続を中継するためのもので、特別図柄始動手段１６、大入賞手段１７の裏側で保護カバー２３の下側に配置された取り付け台４５に裏側から着脱自在に固定されている。
【００２４】
取り付け台４５は遊技盤５と略平行に配置されており、上側が保護カバー２３の下側の支持台４６に着脱自在に係止され、下側の左右一対の取り付け脚部４７がねじ等の固定具を介して遊技盤５に着脱自在に固定されている。
【００２５】
集球ケース２４は大入賞手段１７、特別図柄始動手段１６、普通入賞手段１８等に入賞して遊技盤５の裏側に通過した遊技球を集めて案内口４８から回収通路（図示省略）側へと案内するためのもので、図４等に示すように、上面側と前面側とが開放した略箱形に形成されており、保護カバー２３の下側に配置され、遊技盤５の裏側に着脱自在に固定されている。
【００２６】
演出制御基板２８は、液晶表示パネル２０に表示される特別遊技図柄を制御する特別図柄表示制御機能、液晶表示パネル２０に表示される各種演出画像を制御する画像演出制御機能、各種表示ランプの点滅等を制御するランプ演出制御機能、スピーカからの音声を制御する音声演出制御機能等を有し、ケース本体５１とケース蓋体５２とで構成される演出制御基板ケース２９内に収容されている。
【００２７】
演出制御基板ケース２９は、保護カバー２３の裏側の基板カバー４４、電源インターフェース基板２７等の後側を覆う覆いを兼用しており、保護カバー２３側の周壁部４３の後端面を取り付け面として、収容凹部２６を後側から略塞ぐように着脱自在に装着されている。
【００２８】
主制御基板３１は、遊技盤５側の遊技部品による遊技動作を制御する遊技動作制御機能を有し、主制御基板ケース（基板ケース）３２に収容された状態で、基板ケース装着板  （基板ケース装着部）６０を介して集球ケース２４の背面側に装着されている。
【００２９】
主制御基板ケース３２は、主制御基板３１を収容可能な基板収容部３２ａを備えた例えば左右方向に長い矩形箱形で、ケース本体６１及びケース蓋体６２と、主制御基板ケース３２の一端側でケース本体６１とケース蓋体６２とを係脱及び開閉自在に結合するヒンジ手段６３と、主制御基板ケース３２の他端側でケース本体６１とケース蓋体６２とを閉鎖状態で封止可能な封止手段６４とを備えている。
【００３０】
ケース本体６１は、略矩形板状の底板６５と、この底板６５の外周に沿って基板収容部３２ａ側に突設される外周枠６６とを一体に備えており、その外周枠６６内に、その裏面側を底板６５側に向けた状態で主制御基板３１が装着されるようになっている。なお、外周枠６６の内側には、主制御基板３１を底板６５から一定の隙間を空けた位置で支持する支持リブ６７が複数設けられている。
【００３１】
また、ケース本体６１には、例えば左右方向の一端側に基板ケース装着板６０側の係合孔６０ａに対応する係合突部６８が、左右方向の他端側に基板ケース装着板６０側の締結つまみ６０ｂに対応する被締結部６９が、夫々外向き突出状に一体形成されている。
【００３２】
ケース蓋体６２は、ケース本体６１側が開放する略矩形蓋状であって、ケース本体６１側の底板６５に対向する天板７１と、その天板７１の外周に沿って基板収容部３２ａ側に突設され且つケース本体６１側の外周枠６６の外側に嵌合する周壁部７２とを一体に備えている。天板７１には、主制御基板３１の表面側に設けられた電子部品に対応する中央部分に膨出部７１ａが、その周辺部、例えば上縁部及び下縁部に凹部７１ｂが夫々形成されている。
【００３３】
凹部７１ｂの底面部７３は主制御基板３１の表面に当接又は近接し、その底面部７３には主制御基板３１側のコネクタを露出させるためのコネクタ孔７５が形成されている。なお、主制御基板３１はケース本体６１とケース蓋体６２とにより挟持され、主制御基板ケース３２の基板収容部３２ａ内に位置決め突起等により固定されている。
【００３４】
ヒンジ手段６３は、ケース本体６１の一端側、例えば左端側に一体に形成された上下一対のヒンジピン６３ａと、このヒンジピン６３ａに対応してケース蓋体６２の一端側、例えば左端側に一体に形成され且つヒンジピン６３ａに係脱、回動自在に係合する上下一対の係合片６３ｂとで構成されている。
【００３５】
係合片６３ｂは、ケース蓋体６２の左周壁部７２ａから外向きに突設されており、ケース本体６１側の外周枠６６とヒンジピン６３ａとの間からヒンジピン６３ａに対して係脱自在であり、その係合状態でヒンジピン６３ａを前側から抱き込むように、前側に突出するＵ字状その他の円弧状に湾曲形成されている。
【００３６】
封止手段６４は、主制御基板ケース３２におけるヒンジ手段６３とは反対側の開閉端側、例えば右端側に沿って一列状に複数個（ここでは４個）配置され、それら４個の封止手段６４により最大４回までの封止、開封が可能となっている。
【００３７】
各封止手段６４は、図５〜図８、特に図８に示すように、ケース蓋体６２の天板７１と、その天板７１の内面側に固着された封止板８１と、ケース本体６１側の例えば外周枠６６の内側に突設された離脱防止板８２とに跨がって設けられている。
【００３８】
各封止手段６４は、離脱防止板８２に形成された離脱防止部８３と、離脱防止板８２に当接して離脱防止部８３に対応する封止部８４と、封止部８４側から離脱防止部８３へと貫通して両者を分離不能に封止する封止ピン８５と、封止前の封止ピン８５を保持するピン保持部８６と、封止部８４及びピン保持部８６を封止板８１に一体に接続する封止損壊部８７と、ケース蓋体６２の外側から封止ピン８５を結合方向に押圧するための押圧用開口部８８と、封止損壊部８７をケース蓋体６２の外側から切断するための天板７１側の切断用開口部８９とを備え、封止時にピン保持部８６内の封止ピン８５を押圧用開口部８８を介して内向きに押圧することにより、この封止ピン８５が封止部８４側から離脱防止部８３に離脱不能に係合して主制御基板ケース３２を封止し、またその封止状態で封止損壊部８７を切断することにより主制御基板ケース３２を開封できるようになっている。
【００３９】
離脱防止部８３は、離脱防止板８２に形成された封止ピン８５用の挿通スリット９１と、この挿通スリット９１の両側で離脱防止板８２と一体に形成された一対の弾性係合部９２とを備え、その各弾性係合部９２に封止ピン８５の案内傾斜面が形成されている。なお、離脱防止板８２には、各挿通スリット９１の両側に逃げ用スリット９３が形成され、その隣り合うスリット９１，９３間が弾性係合部９２となっている。
【００４０】
ピン保持部８６は封止ピン８５を封止前の状態で保持するためのもので、角形の枠体により構成され、封止板８１とケース蓋体６２の嵌合リブ９５との間に配置されている。ピン保持部８６は、その上下方向の中間に係合凸部９６が相対向して設けられ、また先端部に、閉じたときに離脱防止板８２に当接するように封止部８４が一体に設けられている。封止部８４は角形のピン挿通孔９７を有している。封止損壊部８７はニッパー等の切断具で容易に切断可能な板状であって、ピン保持部８６の上部側中央と封止板８１とを接続するように一体に形成されている。
【００４１】
封止板８１には、この封止板８１の内周側から各封止損壊部８７の下方側へと斜めに傾斜する傾斜部９８が一体に形成されている。この傾斜部９８は、ピン保持部８６、封止部８４及び封止損壊部８７をケース蓋体６２の内側から覆うと共に、封止状態のときに下端側を離脱防止板８２上の突条部９９に当接させて切断用開口部８９の下方側を塞ぐためのものである。
【００４２】
封止ピン８５は封止部８４側から離脱防止板８２の離脱防止部８３側に貫通して、ケース本体６１とケース蓋体６２とを封止状態に結合するためのもので、封止前の封止ピン８５はピン保持部８６内に保持されている。封止ピン８５は、断面矩形状の軸部８５ａと、矩形状の係合鍔部１００と、軸部８５ａの先端側の台形状の係合頭部１０１と、係合鍔部１００から上側に突出する円柱状の被操作部１００ａとを備え、適当な弾性を有する合成樹脂材料により一体に成形されている。
【００４３】
係合鍔部１００はピン保持部８６に嵌合する角形状であって、封止前の状態では係合凸部９６によりピン保持部８６内に係止され、また封止状態では封止部８４に上側から係合するようになっている。係合頭部１０１は封止前の状態では封止部８４のピン挿通孔９７に嵌合し、また封止状態では離脱防止部８３の弾性係合部９２に下側から離脱不能に係合するようになっている。
【００４４】
ケース蓋体６２は、その天板７１の後側に４個の嵌合枠部１０２を備え、この嵌合枠部１０２にピン保持部８６が下側から嵌合している。ピン保持部８６は嵌合枠部１０２に所定の間隙をおいて遊嵌しており、封止損壊部８７が損壊されて離脱防止板８２側に結合状態にあるときに、嵌合枠部１０２に対して嵌脱自在である。嵌合枠部１０２は、嵌合リブ９５及び天板７１に一体に形成され、また封止損壊部８７に対応する位置が開放状の切り欠き部１０３となっている。
【００４５】
押圧用開口部８８は、封止ピン８５の被操作部１００ａに合わせた小径の丸孔で、嵌合枠部１０２の中央で天板７１に形成されており、この押圧用開口部８８に封止前の封止ピン８５の被操作部１００ａが下側から嵌合している。また、ケース蓋体６２の天板７１には、押圧用開口部８８に対応してねじ止め基部１０４が例えば外向き突出状に一体形成されている。このねじ止め基部１０４には、その軸心部にねじ孔１０５が形成されており、そのねじ孔１０５が押圧用開口部８８の外側に連通している。
【００４６】
切断用開口部８９は主制御基板ケース３２を開封するときに、切断具を挿入して封止損壊部８７を切断するためのもので、ケース蓋体６２の天板７１側に、各封止損壊部８７に跨がって長孔状に形成されている。なお、主制御基板ケース３２の構成部材は、封止手段６４の封止ピン８５等を除いて、内部を極力視認できるように透明な合成樹脂材料により構成されている。
【００４７】
基板ケース装着板６０は、略矩形板状の装着板本体１１１と、この装着板本体１１１の背面側に設けられ且つ主制御基板ケース３２を保持する係合孔６０ａ及び締結つまみ６０ｂと、主制御基板ケース３２の外側から封止損壊部８７を覆う封止カバー１１２とを備え、集球ケース２４の後壁部１１３側に形成された開口１１４を略塞ぐように、下部側の左右一対のヒンジ手段１１５と、上部側の左右一対の係合爪１１６とにより、集球ケース２４の背面側に開閉及び着脱自在に固定されている。
【００４８】
ヒンジ手段１１５は、集球ケース２４の裏側下端部に一体に設けられたヒンジピン１１７と、基板ケース装着板６０の下端に設けられた前後一組のヒンジ爪１１８とを備えている。ヒンジピン１１７は上下両側が偏平で、その左右両端が集球ケース２４から後方に突出する突部により一体に連結されている。前後一組のヒンジ爪１１８は、両者でヒンジピン１１７を相対回動自在に抱き込むように構成され、また前後一組のヒンジ爪１１８の先端側は、その先端側を偏平部分に合わせたときにヒンジピン１１７に対して相対的に嵌脱できるようになっている。係合爪１１６は集球ケース２４の上端部側の左右両側に設けられ、基板ケース装着板６０をヒンジピン１１７廻りに揺動させて集球ケース２４の背面側に略密着させたときに基板ケース装着板６０の上部側に係脱自在に係合するようになっている。
【００４９】
装着板本体１１１は、その背面側が主制御基板ケース３２を装着するための基板ケース装着面１１１ａとなっており、その基板ケース装着面１１１ａの外周部に沿って、主制御基板ケース３２を支持する支持枠１１９が後ろ向き所定高さに突設されている。また、装着板本体１１１の背面側には、その左右方向の一端側、例えば右縁側に係合孔６０ａが、その係合孔６０ａとは反対側の端部側、例えば左端側に締結つまみ６０ｂが、夫々設けられている。締結つまみ６０ｂは、装着板本体１１１の背面側に装着板本体１１１に垂直な方向の回転軸６０ｃにより揺動自在に装着されており、主制御基板ケース３２側の被締結部６９に係脱自在に係合可能となっている。主制御基板ケース３２は、そのケース本体６１の外面側を基板ケース装着面１１１ａに沿わせつつ、その一端側の係合突部６８を係合孔６０ａに嵌合させ、更に締結つまみ６０ｂを回して他端側の被締結部６９に係合させることにより基板ケース装着板６０に保持される。
【００５０】
封止カバー１１２は、封止損壊部８７を含む封止手段６４の略全体を主制御基板ケース３２の外側から覆うもので、主制御基板ケース３２における封止手段６４側端部、即ち右端部に対応して配置されており、例えば装着板本体１１１に沿って上下方向に配置されたヒンジ１２１により装着板本体１１１の背面側に枢支されている。そして、封止カバー１１２はヒンジ１２１廻りに揺動させることにより封止損壊部８７を覆う閉状態と封止損壊部８７を開放する開状態とに切り換え可能であり、閉状態において固定手段１２２（図６，図７）により主制御基板ケース３２側に固定されるようになっている。
【００５１】
封止カバー１１２は、図４〜図８に示すように、閉状態のときにケース蓋体６２側の天板７１の外面側に沿うカバー板部１２３と、このカバー板部１２３の一端側と装着板本体１１１側のヒンジ１２１との間を連結する側壁部１２４とで例えば断面Ｌ字型に形成されている。カバー板部１２３は、封止損壊部８７を切断できないように切断用開口部８９を外側から塞ぐための部分であり、例えば切断用開口部８９を含む封止手段６４の略全体を覆う大きさの略矩形状に形成され、ねじ止め基部１０４のねじ孔１０５に対応してねじ挿通孔１２５が設けられている。
【００５２】
固定手段１２２は、図６，図７等に示すように、ケース蓋体６２側に設けられたねじ止め基部１０４と、このねじ止め基部１０４のねじ孔１０５に螺合可能な固定ねじ１２６とで構成されており、封止カバー１１２を閉じた状態で、固定ねじ１２６をねじ挿通孔１２５を介してねじ止め基部１０４にねじ込むことにより、封止カバー１１２を主制御基板ケース３２に固定するようになっている。
【００５３】
また、固定ねじ１２６は、ねじ止め基部１０４に螺合する際にその先端側で封止ピン８５を内向きに押し進め、やがて封止ピン８５が離脱防止部８３に係合して主制御基板ケース３２が封止されたとき、その固定ねじ１２６により封止カバー１１２が主制御基板ケース３２に完全に固定されるようになっている。このように、固定手段１２２の固定ねじ１２６は、封止カバー１１２を主制御基板ケース３２に固定すると同時に封止ピン８５を封止方向に押圧するものであるから、封止に使用する１つの封止手段６４に対応して常に１個の固定ねじ１２６のみが使用され、２個以上の固定ねじ１２６が同時に使用されることはない。
【００５４】
上記構成のパチンコ機の組み立て工程における主制御基板ケース３２の取り付け時には、まず主制御基板ケース３２を構成するケース本体６１とケース蓋体６２とを主制御基板３１を挟み込んだ状態で組み合わせ、封止カバー１１２を開いた状態でその主制御基板ケース３２を基板ケース装着板６０に装着する。そして、封止カバー１１２を閉じた後、その封止カバー１１２の外側から、１個の固定ねじ１２６を、封止に用いる１つの封止手段６４に対応するねじ止め基部１０４に螺合させる。これにより、その封止手段６４により主制御基板ケース３２が封止されると共に封止カバー１１２が主制御基板ケース３２に固定される。
【００５５】
この状態では、封止手段６４の封止損壊部８７は封止カバー１１２のカバー板部１２３により外側から覆われているため、そのままではその封止損壊部８７をニッパー等で切断して主制御基板ケース３２を開封することはできない。主制御基板ケース３２を開封するためには、まず固定ねじ１２６を緩めてねじ止め基部１０４から抜き取り、封止カバー１１２を開いて主制御基板ケース３２側の封止損壊部８７を露出させ、更に封止に用いている封止手段６４に対応する封止損壊部８７を切断する必要がある。
【００５６】
このように、封止を行う際には、固定ねじ１２６をねじ止め基部１０４に螺合させるだけで主制御基板ケース３２の封止と封止カバー１１２の主制御基板ケース３２への固定とを同時に行うことができるのに対し、開封する際には、固定ねじ１２６を外し、封止カバー１１２を開いて更に封止損壊部８７を切断するという手順を踏む必要があるため、その作業を遊技ホール内で他人の目を盗んで短時間で行うことは困難である。また、主制御基板ケース３２の封止と封止カバー１１２の主制御基板ケース３２への固定とを同時に行うことができるため、製造工程における作業効率がよいという利点もある。
【００５７】
以上説明したように、本実施形態のパチンコ機は、基板ケース装着板６０に設けられ且つ主制御基板ケース３２の外側から封止損壊部８７を覆う封止カバー１１２と、この封止カバー１１２を主制御基板ケース３２に固定する固定手段１２２とを備えているため、封止状態の主制御基板ケース３２を開封する際には固定手段１２２による固定を外して封止カバー１１２を開き、更に封止損壊部８７を損壊するという手順を踏む必要があり、また主制御基板ケース３２を取り外す場合も固定手段１２２による固定を外して封止カバー１１２を開く必要がある。これにより、基板ケースを開放して内部のＲＯＭを不正ＲＯＭに交換するゴト行為はもちろん、制御基板を基板ケースごと交換するゴト行為についてもその作業を遊技ホール内で他人の目を盗んで短時間で行うことは困難であり、基板ケース交換及び基板ケース開封によるゴト行為を効果的に防止できる。また、封止カバー１１２は、封止損壊部８７及びその周辺部分をカバーすればよいため、基板ケース内部の視認性を大きく低下させることはない。
【００５８】
固定手段１２２は、封止ピン８５の外側に対応してケース蓋体６２側に設けられたねじ止め基部１０４と、封止カバー１１２の外側からねじ止め基部１０４に螺合可能な固定ねじ１２６とを備え、固定ねじ１２６がねじ止め基部１０４に螺合される際に固定ねじ１２６の先端側が封止ピン８５を押圧するように構成されているため、封止を行う際には、固定ねじ１２６をねじ止め基部１０４に螺合させるだけで主制御基板ケース３２の封止と封止カバー１１２の主制御基板ケース３２への固定とを同時に行うことができ、ゴト行為とは無関係の封止操作については効率よく短時間で行うことが可能である。
【００５９】
図９及び図１０は本発明の第２の実施形態を例示し、第１の実施形態を改良して、各封止手段６４に対応する固定ねじ１２６を保持するねじ保持部１３１を封止カバー１１２側に設けた例を示している。
【００６０】
本実施形態では、図９及び図１０に示すように、封止カバー１１２の外面側に、ねじ挿通孔１２５に対応してねじ保持部１３１が例えば一体に設けられている。ねじ保持部１３１は、例えばその内径が固定ねじ１２６の頭部１２６ａの外径と略等しい略円筒状で、その内部に固定ねじ１２６が軸部１２６ｂの先端側をねじ挿通孔１２５に挿入した状態で内向きに装着されている。なお、ねじ保持部１３１には、その周方向の複数箇所に軸方向のスリット１３２が設けられ、そのスリット１３２により分割された各保持片１３１ａの外側端部に内向きの突起部１３３が設けられており、固定ねじ１２６は、各保持片１３１ａを半径方向外向きに弾性変形させつつねじ保持部１３１内に圧入されている。
【００６１】
このように、固定ねじ１２６を保持するねじ保持部１３１を封止カバー１１２側に設け、このねじ保持部１３１内に全ての封止手段６４に対応する固定ねじ１２６を予め収容しておくことで、固定ねじ１２６の紛失等を防止できる。
【００６２】
図１１及び図１２は本発明の第３の実施形態を例示し、開閉可能な封止カバー１１２を主制御基板ケース３２に固定する固定手段１２２を、封止カバー１１２に設けられ且つ封止カバー１１２が閉状態のときに封止ピン８５を離脱防止部８３に係合するまで押圧する押圧ピン１４１と、封止カバー１１２を閉状態で固定すると共に所定の閉止損壊部１４２を損壊することによりその固定状態を解除可能な閉止手段１４３とで構成した例を示している。
【００６３】
本実施形態では、基板ケース装着板６０の背面側に、封止カバー１１２が装着されるカバー装着台１４４が例えば一体に設けられている。このカバー装着台１４４は、主制御基板ケース３２の封止手段６４側端部、即ち右端部側近傍に、封止手段６４の配置方向に沿って配置されており、主制御基板ケース３２側の天板７１と略面一となるように配置された細長矩形状の上壁１４５と、この上壁１４５の外周と装着板本体１１１とを連結する周壁１４６とで矩形箱形に形成されている。なお、カバー装着台１４４と主制御基板ケース３２との間には所定の隙間１４７が形成されている。
【００６４】
封止カバー１１２は、主制御基板ケース３２側の各封止手段６４に対応して複数個（ここでは４個）独立に設けられ、夫々ヒンジ１４８により例えばカバー装着台１４４の主制御基板ケース３２側とは反対側の縁部に枢支されている。そして、封止カバー１１２はヒンジ１４８廻りに回転させることにより封止損壊部８７を覆う閉状態と封止損壊部８７を開放する開状態とに切り換え可能であり、固定手段１２２により閉状態で固定されるようになっている。
【００６５】
封止カバー１１２は、図１１及び図１２に示すように、主制御基板ケース３２側の天板７１及びカバー装着台１４４側の上壁１４５の外面側に沿う例えば細長矩形状のカバー板部１５１と、このカバー板部１５１の外周に沿って例えば主制御基板ケース３２側に突設される補強リブ１５２とを一体に備え、その一端側においてヒンジ１４８によりカバー装着台１４４の上壁１４５の一側に枢支されており、閉状態のときにその先端側が、対応する封止手段６４の押圧用開口部８８及び封止損壊部８７を外側から覆うようになっている。本実施形態では、押圧用開口部８８の外側に、第１の実施形態におけるねじ止め基部１０４ではなく、例えば外側に向かって円錐面状に広がる案内部１５３が設けられている。
【００６６】
なお、本実施形態の封止カバー１１２は、封止中の封止手段６４に対応する１つの封止カバー１１２のみが固定手段１２２により閉状態で固定され、他の封止カバー１１２は例えばカバー装着台１４４の側壁部１２４側に設けられた係止手段１４９により開状態で保持されるようになっている。
【００６７】
また、封止カバー１１２には、主制御基板ケース３２側を覆う先端側の第１カバー部１１２ａと、カバー装着台１４４側を覆うヒンジ１４８側の第２カバー部１１２ｂとの間、即ちカバー装着台１４４と主制御基板ケース３２との間の隙間１４７に対応する位置に閉止損壊部１４２が設けられている。即ち、封止カバー１１２には、カバー板部１５１上に隙間１４７に対応して切断用開口部１５０が形成されており、この切断用開口部１５０の外側の補強リブ１５２が一対の閉止損壊部１４２となっている。なお、係止手段１４９は、例えば各封止カバー１１２の閉止損壊部１４２に係脱自在に係合可能な係合爪により構成されており、封止カバー１１２をカバー装着台１４４の周壁１４６に沿わせたとき、係止手段１４９が閉止損壊部１４２に係合して封止カバー１１２をその位置で保持するようになっている。
【００６８】
固定手段１２２は、封止カバー１１２の第１カバー部１１２ａ上に設けられ且つ封止カバー１１２が閉状態のときに封止ピン８５を離脱防止部８３に係合するまで押圧する押圧ピン１４１と、封止カバー１１２を閉状態で固定すると共に閉止損壊部１４２を損壊することによりその固定状態を解除可能な閉止手段１４３とを備えている。押圧ピン１４１は、主制御基板ケース３２側の押圧用開口部８８に対応してカバー板部１５１の内面側に一体に突設されている。
【００６９】
閉止手段１４３は、カバー装着台１４４の上壁１４５に設けられた離脱防止部１５５と、封止カバー１１２の第２カバー部１１２ｂ上に一体に設けられ且つ離脱防止部１５５に離脱不能に結合する結合ピン１５６とを備えている。離脱防止部１５５は、カバー装着台１４４の上壁１４５に形成された結合ピン１５６用の挿通スリット１６１と、この挿通スリット１６１の両側で上壁１４５と一体に形成された一対の弾性係合部１６２とを備え、その各弾性係合部１６２に結合ピン１５６の案内傾斜面が形成されている。なお、カバー装着台１４４の上壁１４５には、各挿通スリット１６１の両側に逃げ用スリット１６３が形成され、その隣り合うスリット１６１，１６３間が弾性係合部１６２となっている。
【００７０】
結合ピン１５６は、離脱防止部１５５の挿通スリット１６１に対応してカバー板部１５１の内面側に突設されており、その先端側に、封止カバー１１２が閉状態のときに挿通スリット１６１に貫通して弾性係合部１６２の裏側に離脱不能に係合する例えば台形状の係合頭部１５６ａが設けられている。
【００７１】
本実施形態のパチンコ機において主制御基板ケース３２を取り付ける際には、まず主制御基板ケース３２を構成するケース本体６１とケース蓋体６２とを主制御基板３１を挟み込んだ状態で組み合わせ、全ての封止カバー１１２を開状態にしてその主制御基板ケース３２を基板ケース装着板６０に装着する。そして、主制御基板ケース３２の封止に用いる１つの封止手段６４に対応する１つの封止カバー１１２をヒンジ１４８廻りに主制御基板ケース３２側に回転させる。
【００７２】
このとき、押圧ピン１４１が押圧用開口部８８を介して封止ピン８５を内向きに押圧すると共に結合ピン１５６が離脱防止部１５５の挿通スリット１６１内に進入し、封止カバー１１２が完全に封止損壊部８７を覆う閉状態となったとき、押圧ピン１４１に押圧された封止ピン８５は離脱防止部８３に、結合ピン１５６は離脱防止部１５５に夫々離脱不能に係合する。これにより、封止手段６４により主制御基板ケース３２が封止されると共に封止カバー１１２が主制御基板ケース３２に固定される。
【００７３】
この状態では、封止手段６４の封止損壊部８７は封止カバー１１２のカバー板部１５１により外側から覆われているため、そのままではその封止損壊部８７をニッパー等で切断して主制御基板ケース３２を開封することはできない。主制御基板ケース３２を開封するためには、まず閉状態にある閉止損壊部１４２を切断して封止カバー１１２と主制御基板ケース３２との固定を解除する必要がある。閉止損壊部１４２を切断すると、封止カバー１１２の第１カバー部１１２ａは第２カバー部１１２ｂから分離されるため、主制御基板ケース３２上から除去して主制御基板ケース３２側の封止損壊部８７を露出させ、封止に用いている封止手段６４に対応する封止損壊部８７を切断して主制御基板ケース３２を開封することができる。
【００７４】
このように、封止を行う際には、主制御基板ケース３２の封止に用いる１つの封止手段６４に対応する１つの封止カバー１１２を閉じるだけで主制御基板ケース３２の封止と封止カバー１１２の主制御基板ケース３２への固定とを同時に行うことができるのに対し、開封する際には、閉止損壊部１４２を損壊して封止カバー１１２と主制御基板ケース３２との固定を解除し、更に封止損壊部８７を切断するという手順を踏む必要があるため、その作業を遊技ホール内で他人の目を盗んで短時間で行うことは困難である。
【００７５】
以上、本発明の実施形態について詳述したが、本発明はこれらの実施形態に限定されるものではなく、本発明の趣旨を逸脱しない範囲で種々の変更が可能である。例えば、第１の実施形態のように固定ねじ１２６を基板ケース３２側のねじ止め基部１０４に螺合させる際に固定ねじ１２６の先端側が封止ピン８５を押圧して離脱防止部８３に係合させるように構成する場合、封止カバー１１２は基板ケース３２が基板ケース装着板６０に対して着脱可能な状態で設けられていればよく、必ずしも封止カバー１１２を開閉可能とする必要はない。
【００７６】
第２の実施形態のように、固定手段１２２を、封止カバー１１２に設けられ且つ封止カバー１１２が閉状態のときに封止ピン８５を離脱防止部８３に係合するまで押圧する押圧ピン１４１と、封止カバー１１２を閉状態で固定すると共に閉止損壊部１４２を損壊することによりその固定状態を解除可能な閉止手段１４３とで構成する場合、閉止損壊部１４２は、それを損壊することにより封止カバー１１２と基板ケース３２との固定状態を解除できるものであればよく、例えば結合ピン１５６の軸部を閉止損壊部１４２としてこれを外部から切断可能に構成してもよい。
【００７７】
本発明は、主制御基板３１を格納する主制御基板ケース３２の他、封止手段を備えた各種基板ケースについても同様に適用可能である。また、実施形態では本発明をパチンコ機に適用した例を示したが、アレンジボール機、スロットマシン等の各種遊技機において同様に実施可能であることは言うまでもない。
【図面の簡単な説明】
【００７８】
【図１】本発明の第１の実施形態を示すパチンコ機の全体正面図である。
【図２】本発明の第１の実施形態を示す遊技盤の背面図である。
【図３】本発明の第１の実施形態を示す遊技盤の側面断面図である。
【図４】本発明の第１の実施形態を示す集球ケース、基板ケース装着板及び主制御基板ケースの分解斜視図である。
【図５】本発明の第１の実施形態を示す主制御基板ケースの要部背面図である。
【図６】本発明の第１の実施形態を示す主制御基板ケース及び封止カバーの側面断面図である。
【図７】本発明の第１の実施形態を示す主制御基板ケース及び封止カバーの底面断面図である。
【図８】本発明の第１の実施形態を示す封止手段の分解斜視図である。
【図９】本発明の第２の実施形態を示す主制御基板ケース及び封止カバーの側面断面図である。
【図１０】本発明の第２の実施形態を示す封止カバーの要部背面図である。
【図１１】本発明の第３の実施形態を示す主制御基板ケース及び封止カバーの要部背面図である。
【図１２】本発明の第３の実施形態を示す主制御基板ケース及び封止カバーの底面断面図である。
【符号の説明】
【００７９】
１  遊技機本体
３１  主制御基板（基板）
３２  主制御基板ケース（基板ケース）
６０  基板ケース装着板（基板ケース装着部）
６１  ケース本体
６２  ケース蓋体
６４  封止手段
８３  離脱防止部
８５  封止ピン
８７  封止損壊部
１０４  ねじ止め基部
１１２  封止カバー
１２２  固定手段
１２６  固定ねじ
１４１  押圧ピン
１４２  閉止損壊部
１４３  閉止手段
【図１】
0004668959.tif 000002
【図２】
0004668959.tif 000003
【図３】
0004668959.tif 000004
【図４】
0004668959.tif 000005
【図５】
0004668959.tif 000006
【図６】
0004668959.tif 000007
【図７】
0004668959.tif 000008
【図８】
0004668959.tif 000009
【図９】
0004668959.tif 000010
【図１０】
0004668959.tif 000011
【図１１】
0004668959.tif 000012
【図１２】
0004668959.tif 000013